(57)【要約】【課題】  鮎釣りの仕掛けで、編み込み作業するときにライン糸の張力を安定して使えるコンパクトな編み込み装置を提供する。【解決手段】  ライン糸を取り付ける取り付けバーを揺動可能にしてライン糸の張力設定を可能とし、また、取り付けバーは脱着式にして使わない時には編み込み装置と収納箱を一体にした収納箱に格納ができる。【選択図】    図２
0003112471.tif 000002
【実用新案登録請求の範囲】
【請求項１】
編み込み装置本体と、格納箱を一体にし、ライン糸を取り付ける２本の取り付けバーと、片側の取り付けバーは揺動を可能にしてライン糸の張力の設定を変えられる調整部と、取り付けバーは脱着が可能としたコンパクトな編み付け装置。
【考案の詳細な説明】
【技術分野】
【０００１】本発明は、鮎釣りの仕掛けでハナカン仕掛け・天井糸・水中糸の編み込み作業を手作りするときに使う編み付け装置に関する。
【背景技術】
【０００２】編み付け装置は市販品として色々と出回っているが、仕掛けのライン糸が細くなり編み付け作業は非常に繊細さを要求される。細いライン糸に均等に編み付けるためにはライン糸に対して下側に十分な空間がないと編み付けが均等に出来ない問題や、また、ほとんどの編み付け装置は、ライン糸を張る２ヶ所の取り付けバーは固定式のため、ライン糸の張力はライン糸を固定するゴムなどのワッシャをネジ止めして固定するときの張り具合で決めているため、ライン糸の張り具合の微調整がしずらい。
【考案の開示】
【発明が解決しょうとする課題】
【０００３】  編み付け装置に取り付けるライン糸の下側には十分な空間がないと編み込み時にライン糸の下側をくぐらせる編み付けがやりにくいため、上側のみの片編み付けとなり編み付けが均等に出来ないために仕上がりが曲がってしまう問題がでる。また、空間を十分にとると編み付け台が高くなりかさばる問題がある。
また、ライン糸の張力の与え方は、ライン糸を固定する左右２本の取り付けバーが固定式の場合はライン糸の張力も固定されてしまうために、網み付けの力を与え過ぎるとライン糸に強く巻き付き、弱すぎると弱く巻き付くために、巻き付けの力のいれ具合には注意が必要である。
さらに、編み付け装置を使わないときにはコンバクトに収納したいが、市販品の物はそこまではなかなか考慮されていない。
本発明は前記課題を解消するためになされたもので、ライン糸を固定する取り付けバーは差し込み式にして着脱を容易とし、また、片側の取り付けバーはスプリングにより張力を与えて可動式として、使わないときには編み付け装置を箱形のケースに収納出来るコンパクトな編み付け装置を提供することを目的とする。
【課題を解決するための手段】
【０００４】上記目的を達成するために、本発明は、編み付け装置として収納する箱は上箱と下箱を丁番で接合して、上箱を開けると網み付け装置の台となり、下箱側には編み付け装置本体が固定されていて、編み付け作業するときの台の代わりになる。編み付け装置本体には、引張バネをネジ棒に取り付けてネジ棒の中間部には回転ダイヤルを設けておき、回転ダイヤルを廻すと回転方向によりネジ棒が左右に作動して引張バネのセット長さを変えられる。引張バネの先端は揺動可能な差し込み金具の先端に取り付けられている。
【０００５】また、本発明においては、ライン糸を固定する左右２ヶ所の取り付けバーは脱着式にして、使う時には左右の差し込み金具に差し込んで抜けないようにネジで押さえ固定される。差し込み金具の片側は前述したように差し込み金具の先端は引張バネが接続されていて、ライン糸の張力変動に対して取り付けバーが揺動して張力変化を吸収できるのと、引張バネ荷重の負荷を調整してライン糸への適切な張力が与えられる。
【発明の効果】
【０００６】  本発明においては、ライン糸に対して下側に十分な空間が与えられる高さにしてあるために編み付けが偏らずに均一に巻けられる。また、ライン糸を固定する取り付けバーの一方が揺動可能でライン糸への網み付けの力が変化しても取り付けバーが揺動することで引張バネが伸びてライン糸の張力が安定して与えられるため、編み付けによる巻き付けを均一に出来る効果を有する。また、引張バネによるライン糸の張力のセットは使用するライン糸の太さや編み込みの巻き強さの具合により異なるが、回転ダイヤルを廻すことで引張バネの張力が可変出来るために使う人の好みに合った編み込みが可能になる効果を有する。
【０００７】また、使わないときには、ライン糸を固定する左右２本の取り付けバーは差し込み式のために簡単に脱着が出来て、分解した部品は編み付け装置の台も兼ねた収納箱にコンパクトに収納出来る効果を有する。
【考案を実施するための最良の形態】
【０００８】  以下、本発明の一実施形態に係る編み付け装置を図１ないし図２に基づいて説明する。前記各図において本実施形態に係る編み付け装置１は、装置を収納する収納箱４と、箱の下箱４１に固定される編み付け装置本体３と、ライン糸７を張る２ヶ所の取り付けバー２を備える構成である。【０００９】図１は、本発明に係る第一の実施例を示した図であり、図１ａは収納箱４を開いて、左右２本の取り付けバー２を差し込み金具３３、３４に差し込んでノブ付きネジ２１で締めつけてセットした状態の編み付け装置の斜視図である。図１ｂは、取り付けバー２を取り外して下箱４１に格納して上箱４２で蓋をした編み付け装置の収納状態を示した斜視図である。
左右２本の取り付けバー２は全く共通な形状をしているために、使う人の利き腕側にライン糸７を止めるバイス５のノブ付きネジ２６が図１ａと反対側になっても取り付けバー２は差し込み金具３３、３４に取り付けが可能である。バイス５は取り付けバー２の先端と中間部の２ヶ所に取り付けてあり、ライン糸７を止めて固定するゴムシート２２．２３とゴムシートの外側にはワッシャー２４、２５が配置されれている。中間部のバイス５はライン糸のスプール８を取り付けることも出来る。特に、金属製のライン糸はスプール８に巻き付けられるため巻き癖によるキンクの発生も防止出来る。【００１０】ライン糸７を左右の取り付けバー２の先端のバイス５に取り付けた後のライン糸７の張力の調整は、差し込み金具３４の先端のピン３６に取り付けられた引張バネ３７の後端部に一体に取り付けたネジ棒３８の中間部に配置した回転ダイヤル３９を回転させるとネジ棒３８の回転を規制するストッパ（図示せず）を設けることでネジ棒は回転ダイヤル３９の回転に応じて左右に作動して引張バネ３７のバネ荷重を調整できる。また、引張バネ３７やネジ棒３８は編み込み装置本体３のカバー３２の中に組み込まれ外からは見えないため引張バネ３７とネジ棒３８の一体化した所から指針３８ａをカバー３２の上面の一部を切り欠き上に出し、カバー３２の上面には目盛り３８ｂを表示し、指針３８ａの位置で目盛り３８ｂを見ることで引張バネ３７の位置が分かり回転ダイヤル３９の回転によるライン糸７の張力の設定の目安が可能である。【００１１】編み込み作業で、ライン糸７が引張バネ３７の設定荷重以上に引っ張られると差し込み金具３４は揺動中心点３５を中心に引張バネが少し伸びることで、取り付けバー２の先端のライン糸７はレバー比拡大されてで大きく動き、ライン糸７の張力はそれほど変わらずに図２ａに示すように、取り付けバー２の先端はａからｂ方向への変位するためにライン糸７の張力が安定して吸収できる。また、ライン糸７の張力が設定荷重以下になれば取り付けバー２の先端はｂからａ方向への戻り、差し込み金具３４はカバー３２に空けた切欠け部３５ａに当たりストッパとなる。【００１２】図２ｂは、編み込み作業の時にライン糸を支える中間ベース６を取り付けた他の実施例を示す。現在市販されている物の中には中間ベース６に相当する物を備えている物も多く、これらの使い方に慣れた人にでも繊細さを要求される編み付け作業が違和感なく使えるためのもので、後付で付けられるようにしたものである。中間ベース６は編み込み装置本体３の本体金具３１に２ヶ所のネジ固定により簡単に脱着が出来る。
【図面の簡単な説明】
【００１３】
【００１４】
【図１】本発明に係る実施例１を示したコンパクト編み込み装置で、図１ａは通常の編み込み装置として組み立てた状態を示す斜視図であり、図１ｂは編み付け装置の収納状態を示した斜視図である。
【図２】図２ａは、本発明に係わる、ライン糸７と取り付けバー２１の可動状態を示した斜視図であり、図２ｂは中間ベース６を取り付けた状態を示した斜視図である。
【符号の説明】
【００１４】１      編み付け装置
２      取り付けバー
３      編み付け装置本体
４      収納箱
５      バイス
６      中間ベース
７      ライン糸
８      スプール
２１、２６  ノブ付きネジ
２２、２３  ゴムワッシャ
２４、２５  ワッシャ
３１    本体金具
３２    カバー
３３、３４  差し込み金具
３５    揺動支点
３５ａ    切欠き部
３６    ピン
３７    引張バネ
３８    ネジ棒
３８ａ    指針
３８ｂ    目盛
３９    回転ダイヤル
４１    下箱
４２    上箱
【図１】
0003112471.tif 000003
【図２】
0003112471.tif 000004